(57)【特許請求の範囲】
【請求項１】
基台に搬送台の上面を中心とする回動軸を装着し、該回動軸に傾斜部材を連結し、該傾斜部材に装着した扇形ラック部材を前記基台に設けた傾斜サーボモータの回転軸に固着したピニオンに係合させ、前記傾斜部材に上下に移動できるようにヘッド部材を設け、該ヘッド部材に鋸を装着した回動部材を前記搬送台に送られた垂木の側面を中心として回動可能に装着し、前記傾斜部材に装着したシリンダで前記ヘッド部材を昇降することを特徴とする配付垂木加工装置。
【請求項２】
前記基台を移動するシリンダをベースに設け、シリンダの駆動によって基台を前記搬送台の搬送方向に対してほぼ直角に移動することを特徴とする請求項１記載の配付垂木加工装置。
【発明の詳細な説明】
【０００１】
【産業上の利用分野】
本発明は、配付垂木の端部を隅木に確実に接触させる切断面を形成することができる配付垂木加工装置に関するものである。
【０００２】
【従来の技術】
図３に示すように、日本家屋の屋根の角に軒桁１の上に傾斜した隅木２を設けるとともに、隅木２から屋根の庇を出すために、軒桁１の上に勾配を付けて配付垂木３を載置し、隅木２と配付垂木３の接触面を一致させるために、図４に示すように、垂木４を直角に切断した場合の垂直線４Ａに対して角度αを持ち、又、水平線４Ｂに対して角度βを持つ面５によって切断することによって配付垂木３を得るようにしている。
【０００３】
ところで、この配付垂木３の端部を加工する装置として、従来、基台を中心で回動できるようにするとともに、基台から横方向に垂直に突出する可動基台を装着し、この可動基台に回転主軸を設け、この回転主軸に丸鋸送り手段を回動モータにより傾斜可能に装着した木材の加工装置が提案されている（特開平４−８３６０１号参照）。
【０００４】
【発明が解決しようとする課題】
しかしながら、この装置では、垂木に対して角度βを取る時に可動基台を回動すると、基台が回動してしまうため、垂木を基台に固定することができず、従って、垂木を固定するための固定台を必要とし、又、基台に対して横方向に突出する可動基台を設けてシリンダ、モータ、丸鋸を装着しなければならず、構成が複雑であるとともに、広い設置面積を必要とするという問題があった。
【０００５】
【課題を解決するための手段】
本発明は、基台に回動軸を装着し、該回動軸に傾斜部材を固着し、該傾斜部材に装着した扇形ラック部材を前記基台に設けた傾斜サーボモータの回転軸に固着したピニオンに係合させ、前記傾斜部材に上下に移動できるようにヘッド部材を設け、該ヘッド部材に鋸を装着した回動部材を回動可能に装着し、前記傾斜部材に装着したシリンダで前記ヘッド部材を昇降するものである。
【０００６】
【作用】
本発明では、傾斜部材を搬送台の上面を中心として回動するように構成し、又、回動部材の中心を搬送台に送られた垂木の側面に一致させ、傾斜部材及び回動部材を切断角度α及びβに合わせてそれぞれ回動することにより、送られてきた垂木を鋸で切断すると、図３に示すように隅木にぴったり合うように切断することができる。
【０００７】
【実施例】
図１は本発明の１実施例の配付垂木加工装置の正面図、図２は図１の配付垂木加工装置の側面図で、ベース６にレール７が装着され、レール７の上に載置されたローラ８で基台９が移動可能に装着され、ベース６に装着されたシリンダ１０の作動軸１１が基台９に連結され、シリンダ１０を駆動することにより基台９が移動される。
【０００８】
又、基台９に回動軸１２がベアリング１３で回動可能に装着され、この回動軸１２の中心は搬送台１４の上面に設定され、又、回動軸１２に支持部材１５が固着され、さらに、支持部材１５の上部にサーボモータ１６が装着され、このサーボモータ１６の回転軸に固定された歯車と係合する歯車１７が固定された回転軸１８にピニオン１９が固着され、このピニオン１９は支持部材１５に固着された扇形ラック部材２０に係合されている。
【０００９】
又、支持部材１５にレール２１が縦に装着され、このレール２１にローラ２２が係合され、このローラ２２にヘッド部材２３に固着され、さらに、支持部材１５に装着されたシリンダ２４の作動軸２５がヘッド部材２３に固着され、シリンダ２４を駆動することによってヘッド部材２３が上下に移動される。
【００１０】
又、ヘッド部材２３に回動サーボモータ２６が装着され、この回動サーボモータ２６で回動されるようにヘッド部材２３に装着された回動部材２８は搬送台１２に送られる垂木２７の側面に中心を持つように構成され、又、ヘッド部材２３の上部にモータ２９が装着され、このモータ２９でプーリー３０が回転され、このプーリー３０に掛けられたベルト３１はプーリー３２、３３に掛けられ、プーリー３３の回転軸に鋸３４が固着され、又、鋸３４はカバー３５で覆われ、このカバー３５は吸引装置（図示せず）に接続され、切粉等が吸引される。
【００１１】
このように構成した本実施例の配付垂木加工装置では、サーボモータ１６を駆動して扇形ラック部材２０を回動することにより支持部材１５が回動され、それによって、図４に示す垂木３の切断面５の傾斜角度αが設定され、さらに回動サーボモータ２６を駆動して回動部材２８を回動することにより、切断面５の傾斜角度βが設定され、モータ２９を回転して鋸３４を回転し、シリンダ２４を駆動すると、鋸３４が下降して垂木２７が切断され、配付垂木を形成することができる。
【００１２】
本発明では、このように搬送台１４上を送られてきた垂木２７の側面と底面を基準として、支持部材１５に設けた扇形ラック部材２０で全体を傾斜し、回動部材２８で鋸３４の部分を回動して、角度α、βを設定して切断するので、角度の設定が確実になり、又、全体に装置がコンパクトになる。
【００１３】
なお、基台１９を移動するシリンダ１０は鋸３４の回動中心を設定するものであり、予め回動中心を設定すれば、このシリンダ１０及びレール７とローラ８を省くことができる。
【００１４】
【発明の効果】
以上説明したように、本発明の配付垂木加工装置では、サーボモータで扇形ラック部材を設けた支持部材を回動して傾斜角度αを設定し、回動サーボモータで回動部材を回動して傾斜角度βを設定し、シリンダを駆動することにより回動部材を下降して搬送台で送られてきた垂木を切断して配付垂木を簡単に形成できるので、操作が非常に簡単であるとともに、角度の設定が確実であり、装置がコンパクトになるという利点がある。
【図面の簡単な説明】
【図１】本発明の１実施例の配付垂木加工装置の正面図である。
【図２】図１の配付垂木加工装置の側面図である。
【図３】配付垂木を組み込んだ図である。
【図４】配付垂木の切断面を説明するための図である。
【符号の説明】
６            ベース
７            レール
８            ローラ
９            基台
１０          シリンダ
１１          作動軸
１２          回転軸
１３          ベアリング
１４          搬送台
１５          支持部材
１６          サーボモータ
１７          歯車
１８          回転軸
１９          ピニオン
２０          扇形ラック部材
２１          レール
２２          ローラ
２３          ヘッド部材
２４          シリンダ
２５          作動軸
２６          回動サーボモータ
２７          垂木
２８          回動部材
２９          モータ
３４          鋸
【図１】
0003558702.tif 000002
【図２】
0003558702.tif 000003
【図３】
0003558702.tif 000004
【図４】
0003558702.tif 000005